(57)【特許請求の範囲】
【請求項１】
制御部を備え、電力系統からの電力供給を使用しない場合における建物モジュールの構成情報を出力する情報処理システムであって、
前記制御部は、
前記建物モジュールに配置される候補となる装置の仕様を示す第１の情報の入力を受け付けるステップと、
前記建物モジュールを設置する地域に関する第２の情報の入力を受け付けるステップと、
前記第１の情報と、前記第２の情報とに基づき、前記建物モジュールの構成情報を出力するステップと、を行う、情報処理システム。
【請求項２】
前記制御部は、
前記第１の情報として、前記建物モジュールに配置される候補となるエネルギーに関する装置の情報と、前記建物モジュールに配置される候補となる装置による前記エネルギーの供給量と消費量との予測に基づくシミュレーション結果の情報と、の入力を受け付けるステップと、
前記エネルギーに関する装置の情報と、前記エネルギーのシミュレーション結果の情報とに基づき、前記建物モジュールの構成情報を出力するステップと、を行う、請求項１に記載の情報処理システム。
【請求項３】
前記制御部は、
前記第１の情報として、前記建物モジュールに配置される、電力を消費する電気機器の情報の入力を受け付けるステップと、
前記電気機器の消費電力量の予測に基づくシミュレーション結果の情報の入力を受け付けるステップと、
前記電気機器の情報と、前記消費電力量のシミュレーション結果の情報とに基づき、前記建物モジュールの構成情報を出力するステップと、を行う、請求項２に記載の情報処理システム。
【請求項４】
前記電気機器の情報に基づき、前記電気機器の消費電力量を算出するステップを行う、請求項３に記載の情報処理システム。
【請求項５】
前記制御部は、
前記第１の情報として、さらに、前記建物モジュールに配置される発電装置の情報の入力を受け付けるステップと、
前記発電装置の発電量の予測に基づくシミュレーション結果の情報の入力を受け付けるステップと、
前記発電装置の情報と、前記発電量のシミュレーション結果の情報とに基づき、前記建物モジュールの構成情報を出力するステップと、を行う、請求項３または請求項４に記載の情報処理システム。
【請求項６】
前記発電装置の情報に基づき、前記発電装置の発電量を算出するステップを行う、請求項５に記載の情報処理システム。
【請求項７】
前記制御部は、
前記第１の情報として、さらに、前記建物モジュールに配置される蓄電装置の情報の入力を受け付けるステップと、
前記蓄電装置の蓄電量の予測に基づくシミュレーション結果の情報の入力を受け付けるステップと、
前記蓄電装置の情報と、前記蓄電量のシミュレーション結果の情報とに基づき、前記建物モジュールの構成情報を出力するステップと、を行う、請求項５または請求項６に記載の情報処理システム。
【請求項８】
前記蓄電装置の情報に基づき、前記蓄電装置の蓄電量を算出するステップを行う、請求項７に記載の情報処理システム。
【請求項９】
電力系統からの電力供給、及び水供給系統から供給される水を使用しない場合における建物モジュールの構成情報を出力する情報処理システムであって、
前記制御部は、
前記第１の情報として、前記建物モジュールに配置される、前記建物モジュール内で使用後の水を再利用するための水処理装置の情報の入力を受け付けるステップと、
前記水処理装置の処理量の予測に基づくシミュレーション結果の情報の入力を受け付けるステップと、
前記水処理装置の情報と、前記処理量のシミュレーション結果の情報とに基づき、前記建物モジュールの構成情報を出力するステップと、を行う、請求項１から請求項８のいずれか１項に記載の情報処理システム。
【請求項１０】
前記水処理装置の情報に基づき、前記水処理装置の処理量を算出するステップを行う、請求項９に記載の情報処理システム。
【請求項１１】
前記制御部は、さらに、
前記建物モジュールを、移動可能であり、独立して人が滞在可能な空間として稼働させるために必要な、前記建物モジュールに配置される候補となる装置の仕様のシミュレーション結果を示す第３の情報を算出するステップと、
前記第３の情報を出力するステップと、を行う、請求項１から請求項１０のいずれか１項に記載の情報処理システム。
【請求項１２】
前記第２の情報として、前記建物モジュールを設置する地域の気象情報を取得し、前記気象情報に基づき、前記建物モジュールの構成情報を出力するステップを行う、請求項１から請求項１１のいずれか１項に記載の情報処理システム。
【請求項１３】
前記気象情報として、前記建物モジュールを設置する地域における日射量、降水量、風力量、気温、湿度のいずれか１つまたは複数の情報を取得するステップを行う、請求項１２に記載の情報処理システム。
【請求項１４】
前記構成情報として、前記建物モジュールの大きさ、前記建物モジュールを構成する部材の材質、厚さ、前記建物モジュールにおける窓の有無、窓の材質、窓の大きさ、前記建物モジュールにおける扉の有無、扉の材質、扉の大きさ、前記建物モジュールにおける滞在可能人数、前記建物モジュールの部屋数のいずれか１つまたは複数の情報を出力するステップを行う、請求項１から請求項１３のいずれか１項に記載の情報処理システム。
【請求項１５】
前記建物モジュールの構成情報をユーザに提示するステップを行う、請求項１から請求項１４のいずれか１項に記載の情報処理システム。
【請求項１６】
プロセッサを備えるコンピュータにより実行され、電力系統からの電力供給を使用しない場合における建物モジュールの構成情報を出力するための方法であって、
前記方法は、前記プロセッサが、
前記建物モジュールに配置される候補となる装置の仕様を示す第１の情報の入力を受け付けるステップと、
前記建物モジュールを設置する地域に関する第２の情報の入力を受け付けるステップと、
前記第１の情報と、前記第２の情報とに基づき、前記建物モジュールの構成情報を出力するステップと、を実行する、方法。
【請求項１７】
プロセッサを備えるコンピュータに実行させ、電力系統からの電力供給を使用しない場合における建物モジュールの構成情報を出力するためのプログラムであって、
前記プログラムは、前記プロセッサに、
前記建物モジュールに配置される候補となる装置の仕様を示す第１の情報の入力を受け付けるステップと、
前記建物モジュールを設置する地域に関する第２の情報の入力を受け付けるステップと、
前記第１の情報と、前記第２の情報とに基づき、前記建物モジュールの構成情報を出力するステップと、を実行させる、プログラム。
【発明の詳細な説明】
【技術分野】
【０００１】
本開示は、情報処理装置、方法、プログラム及び建物モジュールに関する。
【背景技術】
【０００２】
昨今、建築物を設計する際、建築物に関するモデルのシミュレーションを行うことがある。建築物に関するシミュレーションとは、例えば、建築物の間取りの配置に関するシミュレーションや、エネルギー負荷に関するシミュレーション等である。
【０００３】
特許文献１には、例えば住居のインテリア、内装、外装、及び間取り等についてシミュレーションが可能なシミュレーションシステムの技術が開示されている。この技術は、シミュレーションのために用意されたポータブルユニットを検出し、検出結果に応じて建築物に関する画像が表示されることにより、シミュレーションを容易に実施できるようにしたものである。
【０００４】
また、特許文献２には、住宅やオフィス等の建物に設置されている電気機器の管理支援装置の技術が開示されている。この技術は、ユーザによる電機機器の効率的な電気利用を支援する技術であり、ＨＥＭＳ（Home Energy Management System）等により実現されるものである。
【先行技術文献】
【特許文献】
【０００５】
【特許文献１】特開２０２０−０３５２７８号公報
【特許文献２】国際公開第２０１６／１１７０２７号
【発明の概要】
【発明が解決しようとする課題】
【０００６】
ところで、建築物の設計を行うに際して、特許文献１に記載のようなインテリアや内装に関するシミュレーションだけではなく、住居の施設、例えば発電装置の発電量や、電気機器の消費電力に基づいて設計を行うことについて、一定のニーズがある。このような設計手法は、例えば、電力会社等が提供する、電力系統からの電力供給を使用しない場合における建物モジュール、具体的には発電装置を備え、トレーラーハウスやコンテナハウスのような移動可能な住居を設計する際に有用である。
【０００７】
しかし、特許文献２に記載の管理支援装置は、電力会社からの送電を受けてピーク電力の分散を図り、節電することが目的であり、上記のような設計技法に利用可能なものではなく、このような設計技法に利用可能なシステム等が望まれていた。
【０００８】
そこで、本開示では、電力系統からの電力供給を使用しない建物モジュールの構成情報を出力し、建物モジュールの設計を支援する技術について説明する。
【課題を解決するための手段】
【０００９】
本開示の一実施形態によると、制御部を備え、電力系統からの電力供給を使用しない場合における建物モジュールの構成情報を出力する情報処理システムであって、制御部は、建物モジュールに配置される候補となる装置の仕様を示す第１の情報の入力を受け付けるステップと、建物モジュールを設置する地域に関する第２の情報の入力を受け付けるステップと、第１の情報と、第２の情報とに基づき、建物モジュールの構成情報を出力するステップと、を行う。
【発明の効果】
【００１０】
本開示によれば、建物モジュールに配置される候補となる装置の仕様を示す第１の情報と、建物モジュールを設置する地域に関する第２の情報とに基づき、建物モジュールの構成情報を出力する。これにより、建物モジュールが電力系統からの電力供給を使用しない場合において、建物モジュールの構成情報を出力することが可能になる。
【図面の簡単な説明】
【００１１】
【図１】設計システムによる設計の対象である建物モジュール３０の外観を示す図である。
【図２】設計システム１の全体の構成を示す図である。
【図３】実施の形態１の設計システム１を構成する端末装置１０の機能的な構成を示すブロック図である。
【図４】実施の形態１の設計システム１を構成するサーバ２０の機能的な構成を示すブロック図である。
【図５】サーバ２０が記憶する電力条件データベース２０２１、水条件データベース２０２２、地域条件データベース２０２３のデータ構造を示す図である。
【図６】サーバ２０が記憶する建物条件データベース２０２４、出力結果データベース２０２５のデータ構造を示す図である。
【図７】実施の形態１の設計システム１による設計処理を行う流れの一例を示すフローチャートである。
【図８】実施の形態１の設計システム１による設計処理を行う流れの他の例を示すフローチャートである。
【図９】設計処理における端末装置１０の電気機器入力の画面例を示す図である。
【図１０】設計処理における端末装置１０の水機器入力の画面例を示す図である。
【図１１】設計処理における端末装置１０のシミュレーション結果の表示の画面例を示す図である。
【図１２】設計処理における端末装置１０の地域条件入力の画面例を示す図である。
【図１３】設計処理における端末装置１０の建物構成出力の画面例を示す図である。
【発明を実施するための形態】
【００１２】
以下、図面を参照しつつ、本開示の実施の形態について説明する。以下の説明では、同一の部品には同一の符号を付してある。それらの名称及び機能も同じである。従って、それらについての詳細な説明は繰り返さない。
【００１３】
＜概要＞
以下、電力会社等が提供する電力系統からの電力供給を使用しない、建物モジュールの設計について説明する。本実施形態における、このような建物モジュールを設計するための設計システムは、例えば、建物モジュールを移動可能であり、独立して人が滞在可能な状態で稼働させるために必要な構成を設計し、宿泊施設として利用するためのシステムである。この建物モジュールには、再生可能エネルギー（自然エネルギー）により発電する発電装置、例えば太陽光により発電する太陽光パネル、風力により発電する風力発電装置、水の流れをエネルギーとして発電する水力発電装置等、蓄電池が設けられ、外部からの電気の供給を受けることなく、独立して人が滞在可能な状態を持続させることを可能にしているものである。さらに、この建物モジュールは、水道等の水供給系統からの水の供給を使用しない建物モジュールとして構成してもよく、水を循環させてフィルタによるろ過や薬品等により再利用可能に処理する水処理装置が設けられ、外部からの水の供給を受けることなく、独立して人が滞在可能な状態を持続させることを可能にしているものであってもよい。
【００１４】
この建物モジュールは、例えば離島や山間部のように、人による開発が進んでいない地域に設置することで、電気や水道といったインフラが不要で、環境負荷の低い施設の設置を可能にしており、これにより環境保護を図りつつ、観光資源を活用することを目的としている。この設計システムでは、建物モジュールに配置される装置の仕様情報、建物モジュールの設置場所の気象条件に基づき、建物モジュールの大きさ、材質といった構成情報を出力することで、最適な建物モジュールの設計を可能にし、装置の仕様情報や気象情報を変更することで建物モジュールの設計変更を可能にしている。
【００１５】
図１は、設計システムによる設計の対象である建物モジュール３０の外観を示す図である。この建物モジュール３０は、例えば直方体に形成された、コンテナハウスのような形状の建物である。図１に示すように、建物モジュール３０は、外壁３１、屋根３２、床３３により人が滞在可能な空間が構築されており、クレーン等により持ち上げることが可能であり、船舶やトラック等で輸送することで移動可能に構成されている。また、図１に示すように、側面の一部が開放され、人の出入りが可能に構成してもよく、側面の一部に窓や扉が設けられてもよい。
【００１６】
さらに、この建物モジュール３０には、太陽光パネル３４が設けられており、太陽光パネル３４が発電する電気が供給されるように構成されている。この太陽光パネル３４が発電した電気が、建物モジュール３０に設けられた蓄電池（図示は省略）により蓄電され、夜間や雨天時のように太陽光パネル３４が発電できない場合でも電気を供給できるようになっている。また、この建物モジュール３０には、上記のように水を循環して再利用可能に処理する水処理装置（図示は省略）が設けられ、外部から水の供給を受けなくても水の使用が可能に構成されている。なお、この建物モジュール３０に設けられる発電装置は太陽光パネルに限られず、いわゆる再生可能エネルギーから発電する装置であれば風力発電装置やバイオマス発電装置であってもよい。また、水処理装置は、雨水を利用するように構成してもよい。さらに、建物モジュール３０は、コンテナハウスのようにクレーン等による運搬が可能な構成に限られず、トレーラーハウスやキャンピングカーのように自走して移動可能に構成してもよい。
【００１７】
この建物モジュール３０が独立して人が滞在可能な状態を持続するためには、照明やエアコンのように生活に必要な電力を賄うため、一定の電力の供給が必要である。また、水処理装置を稼働させるためにも、一定の電力の供給が必要である。しかし、太陽光パネルのように再生可能エネルギーから発電する装置は、天候等の自然条件に左右されるため、蓄電池に蓄電された電力が不足するおそれがある。
【００１８】
そのため、この建物モジュールの設計システムでは、建物モジュールに設けられる太陽光パネルの発電量や蓄電池の蓄電量、水処理装置や各種家電製品の消費電力量といった仕様情報、及び建物モジュールの設置場所の気象条件に基づき、建物モジュール自体の大きさ、断熱性等の構成情報を出力している。
【００１９】
＜第１の実施の形態＞
以下、設計システム１について説明する。以下の説明では、例えば、端末装置１０がサーバ２０へアクセスすることにより、サーバ２０が、端末装置１０で画面を生成するための情報を応答する。端末装置１０は、サーバ２０から受信した情報に基づいて画面を生成し表示する。
【００２０】
＜１  設計システム１の全体構成＞
図２は、設計システム１の全体の構成を示す図である。設計システムは、建物モジュールが、移動可能であり、独立して人が滞在可能な状態で稼働させるために必要な構成を設計するためのシステムである。図２に示すように、設計システム１は、複数の端末装置（図１では、端末装置１０Ａ及び端末装置１０Ｂを示している。以下、総称して「端末装置１０」ということもある）と、サーバ２０とを含む。端末装置１０とサーバ２０とは、ネットワーク８０を介して相互に通信可能に接続されている。ネットワーク８０は、有線または無線ネットワークにより構成される。
【００２１】
端末装置１０は、各ユーザが操作する装置である。ここで、ユーザとは、例えば建物モジュールを所定の地域に設置する事業者である。端末装置１０は、据え置き型のＰＣ（Personal Computer）、ラップトップＰＣなどにより実現される。この他、端末装置１０は、例えば移動体通信システムに対応したスマートフォン、タブレット等の携帯端末であるとしてもよい。図１に端末装置１０Ｂとして示すように、端末装置１０は、通信ＩＦ（Interface）１２と、入力装置１３と、出力装置１４と、メモリ１５と、記憶部１６と、プロセッサ１９とを備える。
【００２２】
端末装置１０は、ネットワーク８０を介してサーバ２０と通信可能に接続される。端末装置１０は、５Ｇ、ＬＴＥ（Long Term Evolution）などの通信規格に対応した無線基地局８１、ＩＥＥＥ（Institute of Electrical and Electronics Engineers）８０２．１１などの無線ＬＡＮ（Local Area Network）規格に対応した無線ＬＡＮルータ８２等の通信機器と通信することにより、ネットワーク８０に接続される。
【００２３】
通信ＩＦ１２は、端末装置１０が外部の装置と通信するため、信号を入出力するためのインタフェースである。入力装置１３は、ユーザからの入力操作を受け付けるための入力装置（例えば、キーボードや、タッチパネル、タッチパッド、マウス等のポインティングデバイス等）である。出力装置１４は、ユーザに対し情報を提示するための出力装置（ディスプレイ、スピーカ等）である。メモリ１５は、プログラム、及び、プログラム等で処理されるデータ等を一時的に記憶するためのものであり、例えばＤＲＡＭ（Dynamic Random Access Memory）等の揮発性のメモリである。記憶部１６は、データを保存するための記憶装置であり、例えばフラッシュメモリ、ＨＤＤ（Hard Disc Drive）である。プロセッサ１９は、プログラムに記述された命令セットを実行するためのハードウェアであり、演算装置、レジスタ、周辺回路などにより構成される。
【００２４】
サーバ２０は、建物モジュールに配置される候補となる装置、具体的には電気機器や水を使用する機器（水機器）の情報、建物モジュールを設置する地域の情報、及び、建物モジュールの構成情報を管理する装置である。サーバ２０は、ユーザから、電気機器や水を使用する機器（水機器）の情報、建物モジュールを設置する地域の情報の入力を受け付ける。サーバ２０は、建物モジュールの構成情報をユーザの端末に表示させる。
【００２５】
サーバ２０は、ネットワーク８０に接続されたコンピュータである。サーバ２０は、通信ＩＦ２２と、入出力ＩＦ２３と、メモリ２５と、ストレージ２６と、プロセッサ２９とを備える。
【００２６】
通信ＩＦ２２は、サーバ２０が外部の装置と通信するため、信号を入出力するためのインタフェースである。入出力ＩＦ２３は、ユーザからの入力操作を受け付けるための入力装置、及び、ユーザに対し情報を提示するための出力装置とのインタフェースとして機能する。メモリ２５は、プログラム、及び、プログラム等で処理されるデータ等を一時的に記憶するためのものであり、例えばＤＲＡＭ（Dynamic Random Access Memory）等の揮発性のメモリである。ストレージ２６は、データを保存するための記憶装置であり、例えばフラッシュメモリ、ＨＤＤ（Hard Disc Drive）である。プロセッサ２９は、プログラムに記述された命令セットを実行するためのハードウェアであり、演算装置、レジスタ、周辺回路などにより構成される。
【００２７】
＜１．１  端末装置１０の構成＞
図３は、実施の形態１の設計システム１を構成する端末装置１０のブロック図である。図３に示すように、端末装置１０は、複数のアンテナ（アンテナ１１１、アンテナ１１２）と、各アンテナに対応する無線通信部（第１無線通信部１２１、第２無線通信部１２２）と、表示操作受付部１３０（キーボード１３１及びディスプレイ１３２を含む）と、音声処理部１４０と、マイク１４１と、スピーカ１４２と、カメラ１５０と、記憶部１６０と、制御部１７０とを含む。端末装置１０は、図３では特に図示していない機能及び構成（例えば、電力を保持するためのバッテリー、バッテリーから各回路への電力の供給を制御する電力供給回路など）も有している。図３に示すように、端末装置１０に含まれる各ブロックは、バス等により電気的に接続される。
【００２８】
アンテナ１１１は、端末装置１０が発する信号を電波として放射する。また、アンテナ１１１は、空間から電波を受信して受信信号を第１無線通信部１２１へ与える。
【００２９】
アンテナ１１２は、端末装置１０が発する信号を電波として放射する。また、アンテナ１１２は、空間から電波を受信して受信信号を第２無線通信部１２２へ与える。
【００３０】
第１無線通信部１２１は、端末装置１０が他の無線機器と通信するため、アンテナ１１１を介して信号を送受信するための変復調処理などを行う。第２無線通信部１２２は、端末装置１０が他の無線機器と通信するため、アンテナ１１２を介して信号を送受信するための変復調処理などを行う。第１無線通信部１２１と第２無線通信部１２２とは、チューナー、ＲＳＳＩ（Received Signal Strength Indicator）算出回路、ＣＲＣ（Cyclic Redundancy Check）算出回路、高周波回路などを含む通信モジュールである。第１無線通信部１２１と第２無線通信部１２２とは、端末装置１０が送受信する無線信号の変復調や周波数変換を行い、受信信号を制御部１７０へ与える。
【００３１】
表示操作受付部１３０は、ユーザの入力操作を受け付けるための機構を有する。具体的には、表示操作受付部１３０は、キーボード１３１と、ディスプレイ１３２とを含む。なお、表示操作受付部１３０は、例えば静電容量方式のタッチパネルを用いることによって、タッチパネルに対するユーザの接触位置を検出する、タッチスクリーンとして構成してもよい。
【００３２】
キーボード１３１は、端末装置１０のユーザの入力操作を受け付ける。キーボード１３１は、文字入力を行う装置であり、入力された文字情報を入力信号として制御部１７０へ出力する。
【００３３】
ディスプレイ１３２は、制御部１７０の制御に応じて、画像、動画、テキストなどのデータを表示する。ディスプレイ１３２は、例えばＬＣＤ（Liquid Crystal Display）や有機ＥＬ（Electro-Luminescence）ディスプレイによって実現される。
【００３４】
音声処理部１４０は、音声信号の変復調を行う。音声処理部１４０は、マイク１４１から与えられる信号を変調して、変調後の信号を制御部１７０へ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０の外部へ出力する。
【００３５】
カメラ１５０は、受光素子により光を受光して、撮影画像として出力するためのデバイスである。カメラ１５０は、例えば、カメラ１５０から撮影対象までの距離を検出できる深度カメラである。
【００３６】
記憶部１６０は、例えばフラッシュメモリ等により構成され、端末装置１０が使用するデータ及びプログラムを記憶する。ある局面において、記憶部１６０は、ユーザ情報１６１を記憶する。
【００３７】
ユーザ情報１６１は、端末装置１０を用いて建物モジュールの設計を行うユーザの情報である。ユーザ情報としては、ユーザを識別する情報（ユーザＩＤ）、ユーザの氏名、ユーザが所属している企業等の組織情報等が含まれる。
【００３８】
制御部１７０は、記憶部１６０に記憶されるプログラムを読み込んで、プログラムに含まれる命令を実行することにより、端末装置１０の動作を制御する。制御部１７０は、例えば予め端末装置１０にインストールされているアプリケーションである。制御部１７０は、プログラムに従って動作することにより、入力操作受付部１７１と、送受信部１７２と、データ処理部１７３と、通知制御部１７４としての機能を発揮する。
【００３９】
入力操作受付部１７１は、キーボード１３１等の入力装置に対するユーザの入力操作を受け付ける処理を行う。
【００４０】
送受信部１７２は、端末装置１０が、サーバ２０等の外部の装置と、通信プロトコルに従ってデータを送受信するための処理を行う。
【００４１】
データ処理部１７３は、端末装置１０が入力を受け付けたデータに対し、プログラムに従って演算を行い、演算結果をメモリ等に出力する処理を行う。
【００４２】
通知制御部１７４は、ユーザに対し情報を提示する処理を行う。通知制御部１７４は、表示画像をディスプレイ１３２に表示させる処理、音声をスピーカ１４２に出力させる処理、振動をカメラ１５０に発生させる処理等を行う。
【００４３】
＜１．２  サーバ２０の機能的な構成＞
図４は、実施の形態１の設計システム１を構成するサーバ２０の機能的な構成を示す図である。図４に示すように、サーバ２０は、通信部２０１と、記憶部２０２と、制御部２０３としての機能を発揮する。
【００４４】
通信部２０１は、サーバ２０が外部の装置と通信するための処理を行う。
【００４５】
記憶部２０２は、サーバ２０が使用するデータ及びプログラムを記憶する。記憶部２０２は、電力条件データベース２０２１と、水条件データベース２０２２と、地域条件データベース２０２３と、建物条件データベース２０２４と、出力結果データベース２０２５等を記憶する。
【００４６】
電力条件データベース２０２１は、設計システム１による設計対象である建物モジュールに配置される候補となる、家電等の電気機器の情報を保持するためのデータベースである。詳細は後述する。
【００４７】
水条件データベース２０２２は、設計システム１による設計対象である建物モジュールに配置される候補となる、シャワー等の水機器の情報を保持するためのデータベースである。詳細は後述する。
【００４８】
地域条件データベース２０２３は、設計システム１による設計対象である建物モジュールが設置される地域の情報を保持するためのデータベースである。詳細は後述する。
【００４９】
建物条件データベース２０２４は、設計システム１による設計対象である建物モジュールの材質等の構成情報を保持するためのデータベースである。詳細は後述する。
【００５０】
出力結果データベース２０２５は、設計システム１により決定された、建物モジュールの構成情報を保持するためのデータベースである。詳細は後述する。
【００５１】
制御部２０３は、サーバ２０のプロセッサがプログラムに従って処理を行うことにより、各種モジュールとして受信制御モジュール２０３１、送信制御モジュール２０３２、電力仕様入力受付モジュール２０３３、水仕様入力受付モジュール２０３４、設置地域入力受付モジュール２０３５、建物構成情報出力モジュール２０３６、及び結果送信モジュール２０３７に示す機能を発揮する。
【００５２】
受信制御モジュール２０３１は、サーバ２０が外部の装置から通信プロトコルに従って信号を受信する処理を制御する。
【００５３】
送信制御モジュール２０３２は、サーバ２０が外部の装置に対し通信プロトコルに従って信号を送信する処理を制御する。
【００５４】
電力仕様入力受付モジュール２０３３は、建物モジュールに配置される候補となる家電等の電気機器の仕様を示す情報（第１の情報）の入力を、電力（エネルギー）に関する装置の情報として受け付ける処理を制御する。電力仕様入力受付モジュール２０３３が受け付ける電気機器の仕様を示す情報とは、建物モジュールに配置可能な家電、具体的には例えば、照明器具やエアコン、テレビ、水処理装置、調理家電等の情報と、これらの電気機器の消費電力に関する情報である。
【００５５】
電気機器の消費電力に関する情報は、定格電力であってもよく、当該家電が実際に使用される頻度が考慮された一定期間（例えば、１ケ月）ごとに消費される消費電力量のシミュレーション結果でもよく、これらの情報から算出される平均消費電力量であってもよい。例えばエアコンの場合、夏季や冬季は使用頻度が高いが、春季や秋季は使用頻度が低いため、家電の種類によっては季節や時期により消費電力に差があるためである。また、例えば、電力条件データベース２０２１にこれらの情報を格納しておき、電力仕様入力受付モジュール２０３３は、上記の建物モジュールに実際に配置する家電等を選択可能に端末装置１０に表示させ、ユーザに選択させることで消費電力量を算出し、電力に関する仕様情報の入力を受け付けてもよい。
【００５６】
また、電力仕様入力受付モジュール２０３３は、建物モジュールに配置される太陽光パネル等の発電装置の情報、または蓄電池の情報の入力を、電力（エネルギー）に関する装置の情報として受け付ける処理を制御する。電力仕様入力受付モジュール２０３３が受け付ける発電装置の情報は、例えば、発電装置の定格発電量（公称最大出力）や、一定期間ごとに発電される発電量のシミュレーション結果、一定期間ごとの平均発電量に関する情報である。電力仕様入力受付モジュール２０３３が受け付ける蓄電池の情報は、最大蓄電量や、最大蓄電量に達するための時間に関する情報である。また、電力仕様入力受付モジュール２０３３は、例えば、電気機器の消費電力量と、発電装置の発電量と、蓄電池の蓄電量とによる電力供給量と消費量との収支に基づくシミュレーション結果を受け付けてもよい。さらに、電力条件データベース２０２１にこれらの情報を格納しておき、電力仕様入力受付モジュール２０３３は、上記の建物モジュールに実際に配置する太陽光パネルや蓄電池を選択可能に端末装置１０に表示させ、ユーザに選択させることで電力に関する仕様情報の入力を受け付けてもよい。
【００５７】
水仕様入力受付モジュール２０３４は、建物モジュールに配置される候補となる水を使用する機器（水機器）の仕様を示す情報（第２の情報）の入力を、水機器に関する装置の情報として受け付ける処理を制御する。水仕様入力受付モジュール２０３４が受け付ける水機器の情報とは、建物モジュールに配置可能な水を使用する機器、具体的には例えば、シャワーやトイレ、シンク等の機器の情報と、これらの装置による水の使用量に関する情報である。水の使用量に関する情報とは、１回の使用ごとの水使用量であってもよく、当該機器が実際に使用される頻度が考慮された一定期間（例えば、１ケ月）ごとに使用される水使用量のシミュレーション結果でもよく、これらの情報から算出される平均水使用量であってもよい。例えば、水条件データベース２０２２にこれらの情報を格納しておき、水仕様入力受付モジュール２０３４は、上記の建物モジュールに実際に配置する水機器を選択可能に端末装置１０に表示させ、ユーザに選択させることで水機器に関する仕様情報の入力を受け付けてもよい。
【００５８】
また、水仕様入力受付モジュール２０３４は、建物モジュールに配置される、水を循環させてフィルタによるろ過や薬品等により再利用可能に処理する水処理装置の情報の入力を、水機器に関する装置の情報として受け付ける処理を制御する。水仕様入力受付モジュール２０３４が受け付ける水処理装置の情報は、例えば、水処理装置の一定時間の水処理量に関する情報である。また、水仕様入力受付モジュール２０３４は、例えば、水機器の水使用量と、水処理装置の水処理量とによる水使用量の収支に基づくシミュレーション結果を受け付けてもよい。さらに、水条件データベース２０２２にこれらの情報を格納しておき、水仕様入力受付モジュール２０３４は、上記の建物モジュールに実際に配置する水処理装置を選択可能に端末装置１０に表示させ、ユーザに選択させることで水機器に関する仕様情報の入力を受け付けてもよい。
【００５９】
設置地域入力受付モジュール２０３５は、建物モジュールを設置する地域に関する地域情報の入力を受け付ける処理を制御する。設置地域入力受付モジュール２０３５は、例えば、建物モジュールを設置する地域の気象情報、具体的には一定期間における日射量や平均気温、平均湿度、降水量等の情報の入力を受け付ける。設置地域入力受付モジュール２０３５は、受け付けた気象情報を地域条件データベース２０２３へ格納する。
【００６０】
また、設置地域入力受付モジュール２０３５は、例えば、建物モジュールを設置する地域の地理情報、具体的にはその地域を特定可能な住所等の情報を受け付け、気象情報を提供する外部サーバにアクセスして当該地理情報に基づく気象情報を取得してもよい。このとき、設置地域入力受付モジュール２０３５は、地図情報を端末装置１０に表示させ、ユーザが選択した位置の緯度経度情報を端末装置１０から受信することで、地理情報を受け付けてもよい。
【００６１】
建物構成情報出力モジュール２０３６は、電力仕様入力受付モジュール２０３３が受け付けた電力に関する装置の情報、水仕様入力受付モジュール２０３４が受け付けた水機器に関する装置の情報、及び設置地域入力受付モジュール２０３５が受け付けた建物モジュールを設置する地域情報に基づき、建物モジュールの構成情報を出力する処理を制御する。例えば、建物構成情報出力モジュール２０３６は、電力に関する装置の情報と、電力（エネルギー）の供給量と消費量との予測に基づくシミュレーション（具体的には、１日ごとの電力の供給量と消費量との収支）に基づき、建物モジュールが備えるべき構成を決定して出力する。さらに、建物構成情報出力モジュール２０３６は、水機器に関する装置の情報と、水使用量の予測に基づくシミュレーション（具体的には、１日ごとの水の供給量と消費量との収支）に基づき、建物モジュールが備えるべき構成を決定して出力してもよい。
【００６２】
建物構成情報出力モジュール２０３６が出力する建物モジュールの構成情報とは、例えば、建物モジュールの物理的な大きさ、建物モジュールを構成する部材の材質、部材（壁面、屋根、または床）の厚さ、建物モジュールにおける窓の有無、窓の材質、窓の大きさ、建物モジュールにおける扉の有無、扉の材質、扉の大きさ、建物モジュールにおける滞在可能人数、建物モジュールの部屋数を含む。すなわち、建物モジュールの構成情報は、建物モジュールを製造（建設）することが可能な構成情報であり、ユーザは、当該構成情報に基づいて建物モジュールを製造してもよい。また、例えば、建物条件データベース２０２４にこれらの情報を格納しておき、建物構成情報出力モジュール２０３６は、上記の建物モジュールが備えるべき構成をこれらの情報から決定してもよい。さらに、建物構成情報出力モジュール２０３６は、構成情報を出力結果データベース２０２５へ格納する。
【００６３】
また、建物構成情報出力モジュール２０３６は、例えば建物モジュールの構成情報を可変とし、ユーザが入力した電力に関する装置の情報、水機器に関する装置の情報、及び建物モジュールを設置する地域情報を、建物モジュールの構成情報の変更に基づいて変化させる（すなわち、逆算する）ように示してもよい。建物モジュールの仕様を変更したい場合等に有用である。
【００６４】
さらに、建物構成情報出力モジュール２０３６は、例えば建物モジュールを、移動可能であり、独立して人が滞在可能な空間として稼働させるために必要な、建物モジュールに配置される候補となる電気機器や水機器によるシミュレーション結果（第３の情報）を出力してもよい。
【００６５】
結果送信モジュール２０３７は、建物構成情報出力モジュール２０３６による建物モジュールの構成情報を、端末装置１０へ送信してディスプレイ１３２に表示させ、ユーザに提示する処理を制御する。結果送信モジュール２０３７は、建物モジュールの構成情報を数値データとして端末装置１０に表示させてもよく、建物モジュールの外観や内装の情報からなる画像データとして端末装置１０に表示させてもよい。
【００６６】
＜２  データ構造＞
図５は、サーバ２０が記憶する電力条件データベース２０２１、水条件データベース２０２２、地域条件データベース２０２３のデータ構造を示す図である。また、図６は、サーバ２０が記憶する建物条件データベース２０２４、出力結果データベース２０２５のデータ構造を示す図である。
【００６７】
図５に示すように、電力条件データベース２０２１のレコードのそれぞれは、項目「電気機器ＩＤ」と、項目「機器名」と、項目「発電量」と、項目「消費量」等を含む。
【００６８】
項目「電気機器ＩＤ」は、設計システム１にて設計の際に、建物モジュール内に配置する機器として選択可能な電気機器、発電装置、蓄電池の種類それぞれを識別する情報である。
【００６９】
項目「機器名」は、建物モジュールに配置可能な電気機器、発電装置、蓄電池を示す名称であり、例えば、「照明」、「テレビ」、「太陽光パネル」等が格納されている。
【００７０】
項目「発電量」は、当該機器が発電装置の場合における、当該発電装置の発電量を示す値が格納されている。この値は、例えば太陽光パネルの場合における公称最大出力（一定条件における発電能力）であり、シミュレーション実行モジュール２０３７による電力の供給量の変化を算出する際に使用される。
【００７１】
項目「消費量」は、当該機器が電気機器の場合における、当該電気機器の消費電力量を示す値が格納されている。この値は、シミュレーション実行モジュール２０３７による電力の消費量の変化を算出する際に使用される。
【００７２】
水条件データベース２０２２のレコードのそれぞれは、項目「水機器ＩＤ」と、項目「機器名」と、項目「処理量」と、項目「使用量」等を含む。
【００７３】
項目「水機器ＩＤ」は、設計システム１にて設計の際に、建物モジュール内に配置する機器として選択可能な水を使用する機器、水処理装置の種類それぞれを識別する情報である。
【００７４】
項目「機器名」は、建物モジュールに配置可能な水を使用する機器、水処理装置を示す名称であり、例えば、「シャワー」、「トイレ」、「水処理装置」等が格納されている。
【００７５】
項目「処理量」は、当該機器が水処理装置の場合における、当該水処理装置の一定時間当たりの水処理量を示す値が格納されている。この値は、シミュレーション実行モジュール２０３７による水の供給量の変化を算出する際に使用される。
【００７６】
項目「使用量」は、当該機器が水を使用する機器の場合における、当該機器の一定時間当たりの水使用量を示す値が格納されている。この値は、シミュレーション実行モジュール２０３７による水の使用量の変化を算出する際に使用される。
【００７７】
地域条件データベース２０２３のレコードのそれぞれは、項目「地域ＩＤ」と、項目「地域名称」と、項目「緯度経度」と、項目「日射量」と、項目「気温」等を含む。
【００７８】
項目「地域ＩＤ」は、設計システム１にて建物モジュールを設置する地域として設定した地域の情報それぞれを識別する情報である。
【００７９】
項目「地域名称」は、設計システム１にて建物モジュールを設置する地域として設定した地域の名称であり、例えば当該地域の住所を示す情報や地名等が格納されている。
【００８０】
項目「緯度経度」は、設計システム１にて建物モジュールを設置する地域として設定した地域の位置情報を緯度経度で示した値である。例えば、ユーザが地図情報から選択した位置情報を、設置地域入力受付モジュール２０３５が取得した値である。
【００８１】
項目「日射量」は、設計システム１にて建物モジュールを設置する地域として設定した地域の一定期間における、一定時間当たりの日射量を示す時系列の値である。設置地域入力受付モジュール２０３５が各ユーザから受け付けた気象情報から、または各ユーザから受け付けた地域情報から取得した気象情報から取得される値である。
【００８２】
項目「気温」は、設計システム１にて建物モジュールを設置する地域として設定した地域の一定期間における、気温の時系列データの平均値を示す値である。設置地域入力受付モジュール２０３５が各ユーザから受け付けた気象情報から、または各ユーザから受け付けた地域情報から取得した気象情報から取得される値である。
【００８３】
サーバ２０の設置地域入力受付モジュール２０３５は、各ユーザから気象情報を受け付け、または各ユーザから受け付けた地域情報から気象情報を取得する処理を行うことに伴って、地域条件データベース２０２３にレコードを追加し、更新する。
【００８４】
図６に示すように、建物条件データベース２０２４のレコードのそれぞれは、項目「建物材質ＩＤ」と、項目「材質」と、項目「厚さ」と、項目「Ｕ値」等を含む。
【００８５】
項目「建物材質ＩＤ」は、設計システム１にて出力する建物モジュールの構成情報として選択可能な、建物モジュールの部材の材質の種類それぞれを識別する情報である。
【００８６】
項目「材質」は、建物モジュールの部材の材質を示す名称であり、例えば、断熱材の１種を示す「断熱材Ａ」、「断熱材Ｂ」や、窓の１種を示す「窓（シングル）」等が格納されている。材質を示す名称は、所定の規格等により指定された呼称や記号でもよく、メーカにより指定された型番等でもよい。
【００８７】
項目「厚さ」は、建物モジュールの部材の厚さを示す値であり、例えば、建物モジュールの部材として適用可能な厚さの値がｍｍ単位で格納されている。厚さは、所定の規格等により指定された呼称や記号でもよく、メーカにより指定された型番等でもよい。
【００８８】
項目「Ｕ値」は、当該材質の熱貫流率を示す値である。熱貫流率とは、熱の伝えやすさを示す値である。この値（Ｕ値）は、外壁や断熱材等の性能を示す値となっており、値が小さいほど断熱性能が高いことを示している。Ｕ値は、シミュレーション実行モジュール２０３７による建物モジュール内の室温の変化を算出する際に使用される。
【００８９】
出力結果データベース２０２５のレコードのそれぞれは、項目「ユーザＩＤ」と、項目「結果詳細」等を含む。
【００９０】
項目「ユーザＩＤ」は、設計システム１による建物モジュールの構成情報の出力操作を行ったユーザの情報それぞれを識別する情報である。
【００９１】
項目「結果詳細」は、設計システム１による建物モジュールの構成情報に関する詳細の情報であり、具体的には、項目「電気機器ＩＤ／水ＩＤ」と、項目「地域ＩＤ」と、項目「建物材質ＩＤ」と、項目「建物寸法」等を含む。なお、当該項目は、項目「ユーザＩＤ」により識別される１のユーザごとに１または複数の建物モジュールの構成情報、すなわち設計の結果が各レコードとして格納されるが、このような格納方式に限られない。
【００９２】
項目「電気機器ＩＤ／水ＩＤ」は、設計システム１にて選択した電気機器、発電装置、蓄電池、水を使用する機器、水処理装置の種類それぞれを識別する情報であり、電力条件データベース２０２１の項目「電気機器ＩＤ」、または水条件データベース２０２２の項目「水機器ＩＤ」に対応している。電力仕様入力受付モジュール２０３３がユーザから受け付けた電力に関する装置情報、または水仕様入力受付モジュール２０３４がユーザから受け付けた水機器に関する装置情報に対応する情報である。
【００９３】
項目「地域ＩＤ」は、設計システム１にて、建物モジュールを設置する地域として設定した地域の情報それぞれを識別する情報であり、地域条件データベース２０２３の項目「地域ＩＤ」に対応している。設置地域入力受付モジュール２０３５がユーザから受け付けた地域情報に対応する情報である。
【００９４】
項目「建物材質ＩＤ」は、設計システム１にて出力する建物モジュールの構成情報として選択可能な、建物モジュールの部材の材質の種類それぞれを識別する情報であり、建物条件データベース２０２４の項目「建物材質ＩＤ」に対応している。建物構成情報出力モジュール２０３６が出力する、建物モジュールの構成情報の一部である。
【００９５】
項目「建物寸法」は、設計システム１にて出力する建物モジュールの構成情報である、建物モジュールの物理的な大きさや厚さ等のサイズ情報を示す情報である。建物構成情報出力モジュール２０３６が出力する、建物モジュールの構成情報の一部である。
【００９６】
サーバ２０の建物構成情報出力モジュール２０３６は、建物モジュールの構成情報を出力する処理を行うことに伴って、出力結果データベース２０２５にレコードを追加し、更新する。
【００９７】
＜３  動作＞
以下、図７及び図８を参照しながら、第１の実施の形態における設計システム１によるシミュレーション処理について説明する。
【００９８】
図７は、実施の形態１の設計システム１による設計処理を行う流れの一例を示すフローチャートである。このシミュレーション処理は、あらかじめユーザの認証処理が行われ、ユーザがログインした状態から開始される。まず、端末装置１０のディスプレイ１３２に、建物モジュールに配置する候補である電力に関する装置の情報を入力する入力画面が表示された状態で、ステップＳ１１１の処理が行われる。
【００９９】
ステップＳ１１１において、端末装置１０の入力操作受付部１７１は、ディスプレイ１３２に表示されている電力に関する装置情報の入力画面から、ユーザによる電力に関する装置情報の入力操作を受け付ける。送受信部１７２は、受け付けた電力に関する装置情報をサーバ２０へ送信する。なお、上記のように、消費電力量のシミュレーション結果や、消費電力量、発電量、及び蓄電量による電力供給量と消費量との収支に基づくシミュレーション結果の入力操作を受け付けてもよい。
【０１００】
ステップＳ１２１において、サーバ２０の電力仕様入力受付モジュール２０３３は、端末装置１０から送信された電力に関する装置情報（及びシミュレーション結果）を、通信部２０１を介して受け付ける。サーバ２０は、次の画面遷移情報として、端末装置１０のディスプレイ１３２に、建物モジュールに配置する候補である水機器に関する装置の情報を入力する入力画面を表示させる指示情報を、端末装置１０へ通信部２０１を介して送信する。
【０１０１】
ステップＳ１１２において、端末装置１０の入力操作受付部１７１は、ディスプレイ１３２に表示されている水機器に関する装置情報の入力画面から、ユーザによる水機器に関する装置情報の入力操作を受け付ける。送受信部１７２は、受け付けた水機器に関する装置情報をサーバ２０へ送信する。なお、上記のように、水使用量のシミュレーション結果や、水使用量と水処理量とによる水使用量の収支に基づくシミュレーション結果の入力操作を受け付けてもよい。
【０１０２】
ステップＳ１２２において、サーバ２０の水仕様入力受付モジュール２０３４は、端末装置１０から送信された水機器に関する装置情報を、通信部２０１を介して受け付ける。サーバ２０は、次の画面遷移情報として、端末装置１０のディスプレイ１３２に、建物モジュールを設置する地域の気象情報を入力する入力画面を表示させる指示情報を、端末装置１０へ通信部２０１を介して送信する。
【０１０３】
ステップＳ１１３において、端末装置１０の入力操作受付部１７１は、ディスプレイ１３２に表示されている建物モジュールを設置する地域の気象情報を入力する入力画面から、ユーザによる建物モジュールを設置する地域の気象情報の入力操作を受け付ける。送受信部１７２は、受け付けた建物モジュールを設置する地域の気象情報をサーバ２０へ送信する。
【０１０４】
ステップＳ１２３において、サーバ２０の設置地域入力受付モジュール２０３５は、端末装置１０から送信された、建物モジュールを設置する地域の気象情報を、通信部２０１を介して受け付ける。
【０１０５】
ステップＳ１２４において、サーバ２０の建物構成情報出力モジュール２０３６は、ステップＳ１２１で受け付けた電力に関する装置情報、ステップＳ１２２で受け付けた水機器に関する装置情報に基づき、建物モジュールの構成情報を出力する。建物構成情報出力モジュール２０３６は、例えば、建物モジュールが備えるべき構成として、建物モジュールの物理的な大きさ、建物モジュールを構成する部材の材質等を決定して出力する。
【０１０６】
ステップＳ１２５において、サーバ２０の結果送信モジュール２０３７は、ステップＳ１２４で出力された建物モジュールの構成情報を、端末装置１０へ通信部２０１を介して送信する。
【０１０７】
ステップＳ１１５において、端末装置１０の送受信部１７２は、サーバ２０から送信された建物モジュールの構成情報を受け付ける。通知制御部１７４は、建物モジュールの構成情報をディスプレイ１３２に表示させる。
【０１０８】
ステップＳ１２６において、サーバ２０の建物構成情報出力モジュール２０３６は、ステップＳ１２４で決定された建物モジュールの構成情報を、出力結果データベース２０２５へ格納する。
【０１０９】
なお、図７に示すフローチャートにおいて、ステップＳ１１１及びステップＳ１２１の処理と、ステップＳ１１２及びステップＳ１２２の処理とは、順不同であり、図７に示すフローチャートの順番と異なる順番でもよい。
【０１１０】
以上のように、設計システム１のユーザは、建物モジュールの電力に関する装置情報、水機器に関する装置情報、及び建物モジュールを設置する地域の気象情報を入力する。これらの情報に基づき、建物モジュールの構成情報が決定される。そのため、ユーザは、建物モジュールが電力系統からの電力供給を使用しない場合において、独立して人が滞在可能な空間を構築するための建物モジュールの構成情報を得ることが可能である。これにより、建物モジュールが電力系統からの電力供給を使用しない場合における建物モジュールの設計が容易になる。
【０１１１】
また、設計システム１のユーザは、建物モジュールが水供給系統からの水を使用しない場合において、独立して人が滞在可能な空間を構築するための建物モジュールの構成情報を得ることが可能である。これにより、建物モジュールが水供給系統からの水を使用しない場合における建物モジュールの設計が容易になる。
【０１１２】
図８は、実施の形態１の設計システム１による設計処理を行う流れの他の例を示すフローチャートである。図８に示すフローチャートにおけるシミュレーション処理は、図７に示すフローチャートにおけるシミュレーション処理のステップＳ１２２、ステップＳ１１３及びステップＳ１２３に代えて、ステップＳ２２２、ステップＳ２１３及びステップＳ２２３の処理を行うものであるため、重複する処理については繰り返して説明しない。
【０１１３】
ステップＳ２２２において、サーバ２０の水仕様入力受付モジュール２０３４は、端末装置１０から送信された水機器に関する装置情報を、通信部２０１を介して受け付ける。サーバ２０は、次の画面遷移情報として、端末装置１０のディスプレイ１３２に、建物モジュールを設置する地域情報を入力する入力画面、例えば地図情報を表示させる指示情報を、端末装置１０へ通信部２０１を介して送信する。
【０１１４】
ステップＳ２１３において、端末装置１０の入力操作受付部１７１は、ディスプレイ１３２に表示されている地図情報から、建物モジュールを設置する地域情報の入力操作を受け付ける。送受信部１７２は、受け付けた建物モジュールを設置する地域情報、例えばユーザが選択した地図上の位置の緯度経度情報を、サーバ２０へ送信する。
【０１１５】
ステップＳ２２３において、サーバ２０の設置地域入力受付モジュール２０３５は、端末装置１０から送信された、建物モジュールを設置する地域情報を、通信部２０１を介して受け付け、気象情報を提供する外部サーバへ通信部２０１を介して送信する。設置地域入力受付モジュール２０３５は、外部サーバから送信された当該地域の気象情報を、通信部２０１を介して受け付ける。
【０１１６】
以上のように、設計システム１のユーザは、建物モジュールを設置する地域情報を地図上で選択することにより、当該地域の気象情報が外部サーバから取得される。これにより、ユーザは、建物モジュールを設置する地域の気象情報を自己で取得することなく建物モジュールの構成情報を得ることが可能である。
【０１１７】
＜４  画面例＞
以下、図９ないし図１３を参照しながら、設計システム１による設計処理の画面例について説明する。
【０１１８】
図９は、設計処理における端末装置１０の電気機器入力の画面例を示す図である。図９の画面例は、ユーザの端末装置１０に、建物モジュールの電気機器等の電力に関する装置情報の入力を受け付けるための入力フォーマットが表示された状態の画面例を示す。図７のステップＳ１１１に相当する。
【０１１９】
図９に示すように、端末装置１０のディスプレイ１３２には、建物モジュールの電力に関する装置情報の入力フォーマット画面が表示されている。この電力に関する装置情報の入力フォーマット画面には、電気機器等の入力欄として、電気機器等選択欄１０３１ａ〜１０３１ｇが設けられている。図９に示す画面例では、電気機器等選択欄１０３１ａ〜１０３１ｇがチェックボックスで選択可能に設けられているが、このような入力方式に限られず、例えばプルダウンメニューやラジオボタンにより選択可能に設けてもよい。
【０１２０】
電気機器等選択欄１０３１ａ〜１０３１ｇは、それぞれ、建物モジュールに配置する電気機器の例として、照明機器、テレビ、電気ポット、エアコン、水処理装置、太陽光パネル、蓄電池を選択する欄であり、クリック等して選択するとチェック印が表示されたり色彩が変更されたりする等により、チェックされたことを示すように構成されている。電気機器等選択欄１０３１ａ〜１０３１ｇに隣接して、電力条件データベース２０２１の項目「機器名」に格納されている電気機器等の名称が表示され、電気機器等選択欄１０３１ａ〜１０３１ｇの中から電気機器等を選択して入力するように構成されている。これらの選択欄への選択入力後、例えば決定ボタン（図示は省略）を押下（例えば画面上でクリック）することにより、建物モジュールの電力に関する装置情報の入力が行われる。
【０１２１】
図１０は、設計処理における端末装置１０の水機器入力の画面例を示す図である。図１０の画面例は、ユーザの端末装置１０に、建物モジュールの水を使用する機器等に関する装置情報の入力を受け付けるための入力フォーマットが表示された状態の画面例を示す。図７のステップＳ１１２に相当する。
【０１２２】
図１０に示すように、端末装置１０のディスプレイ１３２には、建物モジュールの水機器に関する装置情報の入力フォーマット画面が表示されている。この水機器に関する装置情報の入力フォーマット画面には、水機器等の入力欄として、水機器等選択欄１０３２ａ〜１０３２ｄが設けられている。図１０に示す画面例では、水機器等選択欄１０３２ａ〜１０３２ｄがチェックボックスで選択可能に設けられているが、このような入力方式に限られず、例えばプルダウンメニューやラジオボタンにより選択可能に設けてもよい。
【０１２３】
水機器等選択欄１０３２ａ〜１０３２ｄは、それぞれ、建物モジュールに配置する水を使用する機器の例として、シャワー、トイレ、シンク、水処理装置を選択する欄であり、クリック等して選択するとチェック印が表示されたり色彩が変更されたりする等により、チェックされたことを示すように構成されている。水機器等選択欄１０３２ａ〜１０３２ｄに隣接して、水条件データベース２０２２の項目「機器名」に格納されている水を使用する機器等の名称が表示され、水機器等選択欄１０３２ａ〜１０３２ｄの中から水を使用する機器等を選択して入力するように構成されている。これらの選択欄への選択入力後、例えば決定ボタン（図示は省略）を押下（例えば画面上でクリック）することにより、建物モジュールの水を使用する機器等に関する仕様情報の入力が行われる。
【０１２４】
図１１は、設計処理における端末装置１０のシミュレーション結果の表示の画面例を示す図である。図１１の画面例は、ユーザの端末装置１０に、建物モジュールに配置される電気機器の消費電力量と、発電装置の発電量と、蓄電池の蓄電量とによる電力供給量と消費量との収支に基づくシミュレーション結果が表示された状態の画面例を示す。図７のステップＳ１１１に相当する。
【０１２５】
図１１に示すように、端末装置１０のディスプレイ１３２には、太陽光パネル等による発電量の変化を示す発電量グラフ１０３３ａと、蓄電池の残蓄電量の変化を示す蓄電量グラフ１０３３ｂとが表示されている。発電量グラフ１０３３ａ及び蓄電量グラフ１０３３ｂは、あらまじめシミュレーションが行われたシミュレーション結果である。発電量グラフ１０３３ａは、例えば、所定の気象情報の日射量から想定される太陽光パネルの発電量であり、蓄電量グラフ１０３３ｂは、例えば、電力に関する装置情報から想定される電力使用量から推定される、蓄電池の蓄電量である。電力仕様入力受付モジュール２０３３では、このようなシミュレーション結果を受け付けてもよい。
【０１２６】
図１２は、設計処理における端末装置１０の地域条件入力の画面例を示す図である。図１２の画面例は、ユーザの端末装置１０に、建物モジュールを設置する地域に関する地域情報の入力を受け付けるための地図情報が表示された状態の画面例を示す。図８のステップＳ２１３に相当する。
【０１２７】
図１２に示すように、端末装置１０のディスプレイ１３２には、地図情報表示欄１０３４ａが表示されている。ユーザは、建物モジュールを設置する地域として、地図情報表示欄１０３４ａ上の１点をクリック等により選択すると、地域選択マーク１０３４ｂが表示される。地域選択マーク１０３４ｂが表示された状態で、例えば決定ボタン（図示は省略）を押下（例えば画面上でクリック）すると、地域選択マーク１０３４ｂが表示された位置の緯度経度情報がサーバ２０へ送信され、地域情報の入力が行われる。その後、気象情報を提供する外部サーバにアクセスされ、当該地理情報に基づく気象情報が取得される。
【０１２８】
なお、地図情報表示欄１０３４ａは、画面上で操作することにより表示される地域を移動可能であり、拡大及び縮小も可能に構成されている。
【０１２９】
図１３は、設計処理における端末装置１０の建物構成出力の画面例を示す図である。図１３の画面例は、ユーザの端末装置１０に、建物モジュールの構成情報が表示された状態の画面例を示す。図７のステップＳ１１５に相当する。
【０１３０】
図１３に示すように、端末装置１０のディスプレイ１３２には、建物モジュールの構成情報が表示されている。この建物モジュールの構成情報表示画面には、建物モジュールの構成情報表示欄として、建物サイズ表示欄１０３５ａと、建物材質表示欄１０３５ｂと、断熱材表示欄１０３５ｃと、外壁厚さ表示欄１０３５ｄと、窓面積比率表示欄１０３５ｅとが設けられている。
【０１３１】
建物サイズ表示欄１０３５ａは、建物モジュールの構成情報である建物モジュールの物理的な大きさを表示する欄であり、建物モジュールの幅、奥行き、高さのサイズを示す数値（例えば、ｍｍ単位）が表示される。建物材質表示欄１０３５ｂは、建物モジュールの構成情報である部材の材質を表示する欄である。断熱材表示欄１０３５ｃは、建物モジュールの構成情報である、部材に使用される断熱材の材質を表示する欄である。建物材質表示欄１０３５ｂ及び断熱材表示欄１０３５ｃには、例えば、建物条件データベース２０２４の項目「材質」に格納されている部材の名称が表示される。外壁厚さ表示欄１０３５ｄは、建物モジュールの構成情報である部材の厚さを表示する欄であり、厚さを示す数値（例えば、ｍｍ単位）が表示される。窓面積比率表示欄１０３５ｅは、建物モジュールの構成情報である外壁における窓の面積比を表示する欄であり、面積比を示す数値（例えば、％）が表示される。
【０１３２】
＜小括＞
以上のように、本実施形態によると、建物モジュールの電力に関する装置情報、水機器に関する装置情報、及び建物モジュールを設置する地域の気象情報が入力されると、これらの情報に基づき、建物モジュールの構成情報が決定されて出力される。そのため、ユーザは、建物モジュールが電力系統からの電力供給を使用しない場合において、独立して人が滞在可能な空間を構築するための建物モジュールの構成情報を得ることが可能である。これにより、建物モジュールが電力系統からの電力供給を使用しない場合における建物モジュールの設計が容易になる。
【０１３３】
また、ユーザは、建物モジュールが水供給系統からの水を使用しない場合において、独立して人が滞在可能な空間を構築するための建物モジュールの構成情報を得ることが可能である。これにより、建物モジュールが水供給系統からの水を使用しない場合における建物モジュールの設計が容易になる。
【０１３４】
さらに、建物モジュールを設置する地域情報が地図上で選択されると、当該地域の気象情報が取得される。これにより、ユーザは、建物モジュールを設置する地域の気象情報を自己で取得することなく建物モジュールの構成情報を得ることが可能である。これにより、容易に地域条件の設定が可能になる。
【０１３５】
以上、開示に係る実施形態について説明したが、これらはその他の様々な形態で実施することが可能であり、種々の省略、置換及び変更を行なって実施することができる。これらの実施形態及び変形例ならびに省略、置換及び変更を行なったものは、特許請求の範囲の技術的範囲とその均等の範囲に含まれる。
【０１３６】
＜付記＞
以上の各実施形態で説明した事項を、以下に付記する。
【０１３７】
（付記１）制御部を備え、電力系統からの電力供給を使用しない場合における建物モジュールの構成情報を出力する情報処理システムであって、制御部は、建物モジュールに配置される候補となる装置の仕様を示す第１の情報の入力を受け付けるステップと、建物モジュールを設置する地域に関する第２の情報の入力を受け付けるステップと、第１の情報と、第２の情報とに基づき、建物モジュールの構成情報を出力するステップと、を行う、情報処理システム。
【０１３８】
（付記２）制御部は、第１の情報として、建物モジュールに配置される候補となるエネルギーに関する装置の情報と、建物モジュールに配置される候補となる装置によるエネルギーの供給量と消費量との予測に基づくシミュレーション結果の情報と、の入力を受け付けるステップと、エネルギーに関する装置の情報と、エネルギーのシミュレーション結果の情報とに基づき、建物モジュールの構成情報を出力するステップと、を行う、（付記１）に記載の情報処理システム。
【０１３９】
（付記３）制御部は、第１の情報として、建物モジュールに配置される、電力を消費する電気機器の情報の入力を受け付けるステップと、電気機器の消費電力量の予測に基づくシミュレーション結果の情報の入力を受け付けるステップと、電気機器の情報と、消費電力量のシミュレーション結果の情報とに基づき、建物モジュールの構成情報を出力するステップと、を行う、（付記２）に記載の情報処理システム。
【０１４０】
（付記４）電気機器の情報に基づき、電気機器の消費電力量を算出するステップを行う、（付記３）に記載の情報処理システム。
【０１４１】
（付記５）制御部は、第１の情報として、さらに、建物モジュールに配置される発電装置の情報の入力を受け付けるステップと、発電装置の発電量の予測に基づくシミュレーション結果の情報の入力を受け付けるステップと、発電装置の情報と、発電量のシミュレーション結果の情報とに基づき、建物モジュールの構成情報を出力するステップと、を行う、（付記３）または（付記４）に記載の情報処理システム。
【０１４２】
（付記６）発電装置の情報に基づき、発電装置の発電量を算出するステップを行う、（付記５）に記載の情報処理システム。
【０１４３】
（付記７）制御部は、第１の情報として、さらに、建物モジュールに配置される蓄電装置の情報の入力を受け付けるステップと、蓄電装置の蓄電量の予測に基づくシミュレーション結果の情報の入力を受け付けるステップと、蓄電装置の情報と、蓄電量のシミュレーション結果の情報とに基づき、建物モジュールの構成情報を出力するステップと、を行う、（付記５）または（付記６）に記載の情報処理システム。
【０１４４】
（付記８）蓄電装置の情報に基づき、蓄電装置の蓄電量を算出するステップを行う、（付記７）に記載の情報処理システム。
【０１４５】
（付記９）電力系統からの電力供給、及び水供給系統から供給される水を使用しない場合における建物モジュールの構成情報を出力する情報処理システムであって、制御部は、第１の情報として、建物モジュールに配置される、建物モジュール内で使用後の水を再利用するための水処理装置の情報の入力を受け付けるステップと、水処理装置の処理量の予測に基づくシミュレーション結果の情報の入力を受け付けるステップと、水処理装置の情報と、処理量のシミュレーション結果の情報とに基づき、建物モジュールの構成情報を出力するステップと、を行う、（付記１）から（付記８）のいずれかに記載の情報処理システム。
【０１４６】
（付記１０）水処理装置の情報に基づき、水処理装置の処理量を算出するステップを行う、（付記９）に記載の情報処理システム。
【０１４７】
（付記１１）制御部は、さらに、建物モジュールを、移動可能であり、独立して人が滞在可能な空間として稼働させるために必要な、建物モジュールに配置される候補となる装置の仕様のシミュレーション結果を示す第３の情報を算出するステップと、第３の情報を出力するステップと、を行う、（付記１）から（付記１０）のいずれかに記載の情報処理システム。
【０１４８】
（付記１２）第２の情報として、建物モジュールを設置する地域の気象情報を取得し、気象情報に基づき、建物モジュールの構成情報を出力するステップを行う、（付記１）から（付記１１）のいずれかに記載の情報処理システム。
【０１４９】
（付記１３）気象情報として、建物モジュールを設置する地域における日射量、降水量、風力量、気温、湿度のいずれか１つまたは複数の情報を取得するステップを行う、（付記１２）に記載の情報処理システム。
【０１５０】
（付記１４）構成情報として、建物モジュールの大きさ、建物モジュールを構成する部材の材質、厚さ、建物モジュールにおける窓の有無、窓の材質、窓の大きさ、建物モジュールにおける扉の有無、扉の材質、扉の大きさ、建物モジュールにおける滞在可能人数、建物モジュールの部屋数のいずれか１つまたは複数の情報を出力するステップを行う、（付記１）から（付記１３）のいずれかに記載の情報処理システム。
【０１５１】
（付記１５）建物モジュールの構成情報をユーザに提示するステップを行う、（付記１）から（付記１４）のいずれかに記載の情報処理システム。
【０１５２】
（付記１６）プロセッサを備えるコンピュータにより実行され、電力系統からの電力供給を使用しない場合における建物モジュールの構成情報を出力するための方法であって、方法は、プロセッサが、建物モジュールに配置される候補となる装置の仕様を示す第１の情報の入力を受け付けるステップと、建物モジュールを設置する地域に関する第２の情報の入力を受け付けるステップと、第１の情報と、第２の情報とに基づき、建物モジュールの構成情報を出力するステップと、を実行する、方法。
【０１５３】
（付記１７）プロセッサを備えるコンピュータに実行させ、電力系統からの電力供給を使用しない場合における建物モジュールの構成情報を出力するためのプログラムであって、プログラムは、プロセッサに、建物モジュールに配置される候補となる装置の仕様を示す第１の情報の入力を受け付けるステップと、建物モジュールを設置する地域に関する第２の情報の入力を受け付けるステップと、第１の情報と、第２の情報とに基づき、建物モジュールの構成情報を出力するステップと、を実行させる、プログラム。
【０１５４】
（付記１８）建物モジュールに配置される候補となる装置の仕様を示す第１の情報の入力を受け付けるステップと、建物モジュールを設置する地域に関する第２の情報の入力を受け付けるステップと、第１の情報と、第２の情報とに基づき、建物モジュールの構成情報を出力するステップと、により出力される建物モジュールの構成情報に従って製造された、建物モジュール。
【符号の説明】
【０１５５】
１０  端末装置、２０  サーバ、８０  ネットワーク、１３０  表示操作受付部、１６１  ユーザ情報、２２  通信ＩＦ、２３  入出力ＩＦ、２５  メモリ、２６  ストレージ、２９  プロセッサ、２０１  通信部、２０２  記憶部、２０２１  電力条件データベース、２０２２  水条件データベース、２０２３  地域条件データベース、２０２４  建物条件データベース、２０２５  出力結果データベース、２０３  制御部
【要約】
【課題】電力系統からの電力供給を使用しない建物モジュールの構成情報を出力し、建物モジュールの設計を支援する技術を提供する。
【解決手段】設計システム１のサーバ２０は、その機能として、電力に関する装置情報を受け付ける電力仕様入力受付モジュール２０３３と、水を使用する機器の装置情報を受け付ける水仕様入力受付モジュール２０３４と、建物モジュールを設置する地域に関する地域情報の入力を受け付ける設置地域入力受付モジュール２０３５と、建物モジュールの構成情報を出力する建物構成情報出力モジュール２０３６と、を備える。
【選択図】図４【図１】
0006841459.tif 000002
【図２】
0006841459.tif 000003
【図３】
0006841459.tif 000004
【図４】
0006841459.tif 000005
【図５】
0006841459.tif 000006
【図６】
0006841459.tif 000007
【図７】
0006841459.tif 000008
【図８】
0006841459.tif 000009
【図９】
0006841459.tif 000010
【図１０】
0006841459.tif 000011
【図１１】
0006841459.tif 000012
【図１２】
0006841459.tif 000013
【図１３】
0006841459.tif 000014